(57)【要約】      （修正有）【解決手段】開閉扉1c，1cを有する胴枠本体Ａの上下が開口されている。上下の開口部に天蓋Ｂと底蓋Ｃとを被せて密閉状態とする。胴枠本体Ａ、天蓋Ｂ、底蓋Ｃをいずれも組み立て・折り畳み可能とする。面ファスナーを利用して胴枠本体Ａ、天蓋Ｂ、底蓋Ｃをそれぞれ組み立てる。胴枠本体Ａの上下の開口部に天蓋Ｂ、底蓋Ｃを被せ、面ファスナーを利用して胴枠本体Ａに固定する。【効果】保管すべき物品を密閉保管できるから、保管すべき物品を獣害・鳥害、ほこりから守ることができる。極めて簡単かつワンタッチで組み立てることができ、逆に、使わないときには極めて簡単に折り畳むことができる。キャスター１５付きの台板１６上の左右両側と背面側の三方をカゴ状のフレーム１７，１７，１７で囲ったロールボックスパレットＥに、開放されている前方から載せることができる。【選択図】図１０
0003136957.tif 000002
【実用新案登録請求の範囲】
【請求項１】
多様な物流ニーズに対応するロールボックスパレットに積載可能なボックスであって、開閉扉を有する胴枠本体の上下が開口されており、上下両開口部に天蓋と底蓋とを被せて密閉可能としたことを特徴とするロールボックスパレット用組立式プラスチック段ボール製ボックス。
【請求項２】
胴枠本体、天蓋、底蓋をいずれも組み立て・折り畳み可能としたことを特徴とする請求項１記載のロールボックスパレット用組立式プラスチック段ボール製ボックス。
【請求項３】
胴枠本体、天蓋、底蓋の組み立てに面ファスナーを用い、それを胴枠本体、天蓋、底蓋の所定位置に取り付けてそれぞれの面ファスナーで組立後の胴枠本体、天蓋、底蓋の形を保つとともに、胴枠本体の上下の開口部に被せた天蓋、底蓋を胴枠本体に固定可能ならしめたことを特徴とする請求項１又は２記載のロールボックスパレット用組立式プラスチック段ボール製ボックス。
【請求項４】
胴枠本体の一部に内部を透視し得る窓を備えたことを特徴とする請求項１〜３のいずれかに記載のロールボックスパレット用組立式プラスチック段ボール製ボックス。
【考案の詳細な説明】
【技術分野】
【０００１】
本考案は、物流センターやスーパーマーケットその他様々な所で使用されていて多様な物流ニーズに対応するロールボックスパレットに積載可能な組立式プラスチック段ボール製ボックスに関するものである。
【背景技術】
【０００２】
物流センターやスーパーマーケットその他様々な所で各種物品を保管する場合には、通常、特許文献１などで提案されているロールボックスパレット（カゴ台車と呼ばれる場合もある）が使用されている。このロールボックスパレットは、キャスター付きの台板上にカゴ状のフレームを設けたものであり、前記フレーム内の台板上に各種物品を積載することができる。
【０００３】
【特許文献１】特開平８−８０８５５号公報
【０００４】
例えば、運送業者の物流センターでの保管を例に挙げると、集荷された荷物は各仕向け先に区分けしてロールボックスパレットに載せ、通常、その上からカバーを被せて保管している。
【考案の開示】
【考案が解決しようとする課題】
【０００５】
しかしながら、保管すべき物品に単にカバーを被せるだけでは、ロールボックスパレットの下からねずみやイタチなどの獣類が入り込み、保管すべき物品をかじって破損するという問題が生じている。からすその他の鳥類から保管すべき物品を守ることもできない。このカバーに代えて金網を被せることも行われているが、十分ではないのみならず、コスト的にも高く付くという欠点がある。
本考案は、このような問題や欠点を解消することができるロールボックスパレット用組立式プラスチック段ボール製ボックスを提供することを目的とするものである。
【課題を解決するための手段】
【０００６】
上記目的を達成するために、本考案では、多様な物流ニーズに対応するロールボックスパレットに積載可能なボックスであって、開閉扉を有する胴枠本体の上下が開口されたものとするとともに、上下両開口部に天蓋と底蓋とを被せて密閉可能としたものである。
このロールボックスパレット用組立式プラスチック段ボール製ボックスを用いると、保管すべき物品を密閉保管できるから、保管すべき物品を獣害・鳥害、ほこりから守ることができる。
【０００７】
胴枠本体、天蓋、底蓋をいずれも組み立て・折り畳み可能としておくことが望ましい。
このようにしておくと、使用時極めて簡単に組み立てることができ、逆に、使わないときには極めて簡単に折り畳むことができるので、極めて有利である。
【０００８】
胴枠本体、天蓋、底蓋の組み立てに面ファスナーを用い、それを胴枠本体、天蓋、底蓋の所定位置に取り付けてそれぞれの面ファスナーで組立後の胴枠本体、天蓋、底蓋の形を保つとともに、胴枠本体の上下の開口部に被せた天蓋、底蓋を胴枠本体に固定可能ならしめておくことが望ましい。
このようにしておくと、極めて簡単かつワンタッチで組み立てることができ、また、胴枠本体、天蓋、底蓋をいずれも組立後の正規の形に保つことができるとともに、１つの箱としての組立状態を保つことができる。
【０００９】
胴枠本体の一部に内部を透視し得る窓を備えていることが望ましい。胴枠本体の一部に内部を透視し得る窓が備えられていると、その窓から中が見えるので、一々開閉扉を開けなくてもボックス内に何が収納されているかを容易に確認できるという利点がある。
【考案の効果】
【００１０】
請求項１記載のロールボックスパレット用組立式プラスチック段ボール製ボックスを用いると、保管すべき物品を密閉保管できるから、保管すべき物品を獣害・鳥害、ほこりから守ることができる。
【００１１】
請求項２記載の考案によれば、使用時極めて簡単に組み立てることができ、逆に、使わないときには極めて簡単に折り畳むことができるので、極めて有利である。
【００１２】
請求項３記載の考案によれば、極めて簡単かつワンタッチで組み立てることができ、また、胴枠本体、天蓋、底蓋をいずれも組立後の正規の形に保つことができるとともに、１つの箱としての組立状態を保つことができる。
【００１３】
請求項４記載の考案によれば、一々開閉扉を開けなくてもボックス内に何が収納されているかを容易に確認できるという利点がある。
【考案を実施するための最良の形態】
【００１４】
本考案によるロールボックスパレット用組立式プラスチック段ボール製ボックスの一例を、図面に基づいて詳細に説明する。
図１〜図３には、本ロールボックスパレット用組立式プラスチック段ボール製ボックスのための各構成部材が例示されている。図１(a)は正・側面材を、図１(b)は側・背面材を、図２は繋ぎ材を、図３は天蓋材及び底蓋材を示す。これらは、全てプラスチック段ボール製である。例えば、ポリプロピレンからなる段ボール製とすることができる。  図１(a)，(b)、図２、図３における丸印内の平行線はプラスチック段ボールの組織方向を示しており、上記各構成部材を本ロールボックスパレット用組立式プラスチック段ボール製ボックスに組み立てて行くに当って、折曲すべき部分である折目線の方向が前記平行線の方向と一致するように各構成部材をカットする。
【００１５】
図１(a)の正・側面材１には、その左右両端縁部から比較的近い位置に縦方向の折目線1a（不連続の線で示す）として利用できる部分がある。左右２つの折目線1a，1aの方向はプラスチック段ボールの組織方向と一致しているから、極めて折曲しやすい。左右２つの折目線1a，1aとして利用できる部分で正・側面材１を山折りしたとき、両折目線1a，1aより外側の部分1b，1bを左右の側面板の一部とすることができる。
一方、左右２つの折目線1a，1aとして利用できる部分間における上下２箇所を横方向に切り込み、さらに、横方向に切り込まれたところの１／２に当る部分を縦方向に切り込んで、同じ大きさの左右２つの開閉扉1c，1cとすることができるように正・側面材１を加工してある。そして、横方向に切り込まれた上下２箇所の切込端部間（縦方向の不連続の線で示す）を、左右２つの開閉扉1c，1cの各ヒンジ1dとして利用できる。
なお、図１(a)における符号1eは、左右２つの開閉扉1c，1cに左右対称的に設けた把手取付用の孔である。
【００１６】
図１(b)の側・背面材２は同じ大きさの２枚の素材で構成され、それらの左右対称的な位置に縦方向の折目線2a（不連続の線で示す）として利用できる部分がある。前記折目線2aの方向はプラスチック段ボールの組織方向と一致しているから、極めて折曲しやすい。
図１(b)の左側に示す側・背面材２については、前記折目線2aで側・背面材２を谷折りしたとき、前記折目線2aより外側（左側）の部分2bを左側の側面板の一部、前記折目線2aより内側（右側）の部分2cを左側の背面板の一部とすることができる。
一方、図１(b)の右側に示す側・背面材２については、前記折目線2aで側・背面材２を谷折りしたとき、前記折目線2aより外側（右側）の部分2bを右側の側面板の一部、前記折目線2aより内側（左側）の部分2cを右側の背面板の一部とすることができる。
【００１７】
図２の繋ぎ材は同じ大きさの３枚の素材で構成されている。各繋ぎ材３は、正・側面材１側の左右２つの側面板1b，1bと、２枚の側・背面材２，２側の左右２つの側面板2b，2bとを、また、２枚の側・背面材２側の左右２つの背面板2c，2cを互いに連接するためのものである。
【００１８】
図３の天蓋材と底蓋材は同じ大きさの２枚の素材で構成されている。図３の上側に示すものを便宜上天蓋材４と、図３の下側に示すものを便宜上底蓋材５と呼ぶことにする。天蓋材４、底蓋材５には、各蓋材４，５の四辺に沿う位置に折目線4a，4a、4b，4b、5a，5a、5b，5b（不連続の線で示す）として利用できる部分がある。各折目線のうち前記折目線4a，5aの方向はプラスチック段ボールの組織方向と一致しているから、極めて折曲しやすい。一方、前記折目線4b，5bの方向はプラスチック段ボールの組織方向と直交するから、これらの部分については例えば不連続な切込加工を施し（リード罫と称する）、折曲しやすいようにしておくとよい。なお、前記折目線4b，5bの延長線上であって、前記折目線4a，4a、5a，5aを超えるところにも折目線4c，5cとして利用できる部分がある。
また、天蓋材４、底蓋材５の四隅において、前記折目線4a，5aの延長線上に切込4d，5dをそれぞれ形成し、各切込4dと前記各折目線4c、および、各切込5dと前記各折目線5cとで囲まれる部分を折返しフラップ4e，5eとして利用できるようにしてある。
【００１９】
一方、図４〜図６には、前記正・側面材１、２枚の側・背面材２，２、天蓋材４、底蓋材５を組み立てる際に用いる主たる付属部材が示されている。図４における符号６は、前記２つの開閉扉1c，1cが組立後において奥まで入り込まないようにするためのストッパーで、２つの部材からなっており、開閉扉1c，1cの裏側上下に横方向に配置されるものである。また、図５における符号７は、同じく前記２つの開閉扉1c，1cが組立後において奥まで入り込まないようにするためのストッパーで、開閉扉1c，1cの把手の裏側に取り付けられるものである。さらに、図６における符号８は、前記２つの開閉扉1c，1cのヒンジ1d，1d部分に取り付けるヒンジ部材である。
【００２０】
次に、前記正・側面材１、２枚の側・背面材２，２、天蓋材４、底蓋材５の組み立て方を説明する。
図７に示すように、前記正・側面材１については、左右２つの開閉扉1c，1cとなる部分の三辺を枠材９で補強し、また、その裏側上下において図４のストッパー６を一点鎖線で示す部分で２つに折り重ねて横方向に取り付けるとともに、左右２つの開閉扉1c，1cの一方の把手1e’の裏側に図５のストッパー７を取り付け、その一部を相手側の開閉扉1c側に突出させる。なお、把手1e’は前記把手取付用の孔1eを利用して両開閉扉1c，1cに取り付けることができる。
【００２１】
また、左右２つの開閉扉1c，1cのヒンジ1d，1dとなる部分には、図６のヒンジ部材８を上下３箇所ほど取り付け、ヒンジ1d，1d部分を補強する。正・側面材１にストッパー６，６を、両開閉扉1c，1cに枠材９，９を、さらに、両開閉扉1c，1cのヒンジ1d，1dとなる部分にヒンジ部材８，８を取り付ける場合にリベット１０を用いると、それらの取付が極めて簡単になる。
【００２２】
一方、正・側面材１については、左右２つの折目線1a，1aとして利用できる部分で正・側面材１を山折りすると、図７に示すように、両折目線1a，1aより外側の部分1b，1bが左右の側面板の一部となる。また、図１(b)の左側に示す側・背面材２については、前記折目線2aで側・背面材２を谷折りすると、図７の左側後方に示すように、前記折目線2aより外側（左側）の部分2bが左側の側面板の一部となり、前記折目線2aより内側（右側）の部分2cが左側の背面板の一部となる。一方、図１(b)の右側に示す側・背面材２については、前記折目線2aで側・背面材２を谷折りすると、図７の右側に示すように、前記折目線2aより外側（右側）の部分2bが右側の側面板の一部となり、前記折目線2aより内側（左側）の部分2cを右側の背面板の一部となる。
【００２３】
したがって、左右２つの折目線1a，1aとして利用できる部分で正・側面材１を山折りした場合の左右の側面板1b，1bと、各折目線2a，2aで２つの側・背面材２，２を谷折りした場合の左右の側面板2b，2bとを、さらに、各折目線2a，2aで２つの側・背面材２，２を谷折りした場合の左右の背面板2c，2c同士を、繋ぎ材３を用いてそれぞれ連接・固定すれば、上下が開口された四角筒状の胴枠本体Ａを極めて簡単に組み立てることができる。
【００２４】
３つの繋ぎ材３については、図７に示すように、例えば左右２つの側・背面材２，２の左右の側面板2b，2bとなる部分の端縁部の内面にそれぞれ沿わせて前記端縁部から突出するごとく繋ぎ材３，３を取り付けておき、さらに、左右の背面板2c，2cとなる部分のいずれか一方の端縁部の内面に沿わせて前記端縁部から突出するごとく繋ぎ材３を取り付けておく。そして、左右２つの繋ぎ材３，３の各外面と左右２つの正・側面材１，１の左右の側面板1b，1bの各内面とを、さらに、背面板2c側の繋ぎ材３の外面と、この繋ぎ材３が取り付けられていない背面板2cの内面とを、それぞれ接合・固定する。
【００２５】
かくして、上述したような上下が開口された四角筒状の胴枠本体Ａを極めて簡単に組み立てることができる。この場合において、正・側面材１と左右２つの側・背面材２，２を３つの繋ぎ材３で連接して組み立てられた胴枠本体Ａは、各連接部においていずれも面一となるから、組立後の体裁も良い。
なお、左右の側面板2b，2bとなる部分の端縁部と左右の背面板2c，2cとなる部分のいずれか一方の端縁部に繋ぎ材３を取り付ける場合にも、リベット１１を用いれば、それらの取付が極めて簡単になる。
【００２６】
一方、天蓋材４、底蓋材５については、各折目線4a，4a、4b，4b、5a，5a、5b，5b（図３において不連続の線で示す）を山折りするとともに、前記各折返しフラップ4e，5eを図８に示すように折返して接合・固定すれば、天蓋Ｂ、底蓋Ｃを極めて簡単に組み立てることができる。
このようにして組み立てられた天蓋Ｂと底蓋Ｃとを、上下が開口された前記四角筒状の胴枠本体Ａの上下の開口部に被せれば、図９に示すように、密閉されたボックスが組み上がる。
このボックスＤは図１０に示すようにロールボックスパレットＥに積載するのに好適なものであり、このロールボックスパレット用組立式プラスチック段ボール製ボックスＤを用いると、保管すべき物品を密閉保管できるから、保管すべき物品を獣害・鳥害、ほこりから守ることができる。
【００２７】
ここでは、胴枠本体Ａ、天蓋Ｂ、底蓋Ｃの組み立てに面ファスナーを用いた場合が例示されている。面ファスナー１２を胴枠本体Ａ、天蓋Ｂ、底蓋Ｃの所定位置に適宜数取り付ければ、それぞれの面ファスナー１２，１２で組立後の胴枠本体Ａ、天蓋Ｂ、底蓋Ｃの形を保つことができる。
さらに、ここでは、胴枠本体Ａの上下の開口部に被せた天蓋Ｂ、底蓋Ｃを胴枠本体Ａに固定する場合にも、面ファスナー１３，１３が用いられている。なお、面ファスナー１３の取り付け数は胴枠本体Ａの正面側と背面側でいずれも上下２箇所、左右の側面側で上下１箇所であり、天蓋Ｂ、底蓋Ｃにはそれらに対向する位置に同数の面ファスナー１３が取り付けられている。
このように、面ファスナー１２，１３が各部材の所定位置に適宜数取り付けられていると、極めて簡単かつワンタッチで胴枠本体Ａ、天蓋Ｂ、底蓋Ｃを組み立てることができ、また、胴枠本体Ａ、天蓋Ｂ、底蓋Ｃをいずれも組立後の正規の形に保つことができるとともに、図９のように組み立てた１つのボックスとしての組立状態を保つことができる。
【００２８】
一方、胴枠本体Ａの上下の開口部に被せた天蓋Ｂ、底蓋Ｃを胴枠本体Ａから外し、しかる後、上述した組み立て方と逆の工程を経れば、組立後の胴枠本体Ａ、天蓋Ｂ、底蓋Ｃをそれぞれ組立前の形にほぼ近い平らな形にすることができる。したがって、ボックスとして使わないときには、極めて簡単に折り畳んで嵩張らない形で収納することができる。
【００２９】
なお、上下２つの前記ストッパー６，６の中央部分と前記ストッパー７の左側端部にも面ファスナー１４が、左右の開閉扉1c，1cにはそれらに対向する位置に面ファスナー１４が取り付けられており、両面ファスナー１４，１４を互いに接合させることで開閉扉1c，1cを閉めた状態に保つことができる。逆に、開閉扉1c，1cを多少強く引っ張るだけで、開閉扉1c，1cを容易に開けることができる。
【００３０】
胴枠本体Ａ、天蓋Ｂ、底蓋Ｃはいずれもプラスチック段ボール製である。プラスチック段ボールとは、従来の段ボールがプラスチックからなる素材で作られたものをいい、例えば、ポリプロピレンからなる段ボール製とすることができる。胴枠本体Ａ、天蓋Ｂ、底蓋Ｃがこのような材質で形成されているから、極めて軽量であるのもかかわらず堅牢で、また、折り畳みやすく、しかも、水にも強い。
【００３１】
上下が開口された四角筒状の胴枠本体Ａの上下の開口部に天蓋Ｂと底蓋Ｃとを被せることにより組み立てられたプラスチック段ボール製ボックスＤは密閉状態を保ち得るから、図１０に示すように、ロールボックスパレットＥに積載することが可能である。そして、ロールボックスパレットＥにこの組立式プラスチック段ボール製ボックスＤを載せれば、保管すべき物品をロールボックスパレットＥ上で密閉保管できるから、保管すべき物品を獣害・鳥害、ほこりから守ることができる。
ロールボックスパレット用組立式プラスチック段ボール製ボックスＤとして使わないときには、極めて簡単に折り畳んで嵩張らない形でロールボックスパレットＥ上やその他の場所に収納しておくことができる。
【００３２】
ロールボックスパレットＥは、図１０に示すように、キャスター１５付きの台板１６上の左右両側と背面側の三方をカゴ状のフレーム１７，１７で囲ったものであり、開放されている前方から組立式プラスチック段ボール製ボックスＤを台板１６上に載せることができる。
なお、開放されているロールボックスパレットＥの前部分には、左右のフレーム１７，１７のいずれか一方から他方へ幅方向に渡し掛けることができる開閉杆１８が取り付けられているので、開閉杆１８の係止片18aを相手側のフレーム１７に取り付けたホルダー１９の孔19aに差し込めば、開放されている前方を閉じることができ、組立式プラスチック段ボール製ボックスＤがロールボックスパレットＥから滑り落ちることを防止できる。
【００３３】
図１、図７、図９および図１０において一点鎖線で示すように、胴枠本体Ａの一部、例えば、開閉扉1c，1cにカード差し２０，２０を取り付けておけば、このカード差し２０，２０に配送先などを記入したカードを差し込むことができるので、配送作業等に便利である。また、図１、図７、図９および図１０において二点鎖線で示すように、胴枠本体Ａの一部、例えば、開閉扉1cの一部に内部を透視し得る窓２１を設けておき、その部分を透明シートなどで覆っておけば、前記窓２１から中が見えるので、一々開閉扉を開けなくてもボックス内に何が収納されているかを容易に確認できるという利点がある。胴枠本体Ａの一部、例えば、開閉扉1cに窓２１を設けない場合もあり得る。
【００３４】
組立式プラスチック段ボール製ボックスＤはロールボックスパレットＥの横幅、奥行き、高さに合わせた大きさとすることができ、特に、横幅と奥行きは変えないで高さだけを異ならしめれば、高さの異なる胴枠本体のいずれにも同じ天蓋Ｂ、同じ底蓋Ｃをそのまま被せることができるのみならず、同じロールボックスパレットＥに全てを載せることができるので、好都合である。
【図面の簡単な説明】
【００３５】
【図１】本考案によるロールボックスパレット用組立式プラスチック段ボール製ボックスのための構成部材の一例を示す平面図で、(a)は正・側面材を、(b)は側・背面材を表わす。
【図２】本考案によるロールボックスパレット用組立式プラスチック段ボール製ボックスのための構成部材の一つである繋ぎ材の一例を示す平面図である。
【図３】本考案によるロールボックスパレット用組立式プラスチック段ボール製ボックスのための構成部材の一つである天蓋材・底蓋材の一例を示す平面図である。
【図４】本考案によるロールボックスパレット用組立式プラスチック段ボール製ボックスのための付属部材の一つであるストッパーの一例を示す平面図である。
【図５】本考案によるロールボックスパレット用組立式プラスチック段ボール製ボックスのための付属部材の一つである別のストッパーの一例を示す平面図である。
【図６】本考案によるロールボックスパレット用組立式プラスチック段ボール製ボックスのための付属部材の一つであるヒンジ部材の一例を示す平面図である。
【図７】図１(a)に示す正・側面材と図１(b)に示す側・背面材と繋ぎ材とを用いて胴枠本体を組み立てる状況を示す斜視図である。
【図８】図３に示す天蓋材・底蓋材から組み立てられた天蓋と底蓋の斜視図で、上側に示す天蓋については、一部組み立て途中の状態で示す。
【図９】組立完了後のロールボックスパレット用組立式プラスチック段ボール製ボックスの斜視図である。
【図１０】ロールボックスパレット用組立式プラスチック段ボール製ボックスをロールボックスパレットに積載した状態を示す斜視図である。
【符号の説明】
【００３６】
１…正・側面材、1a…折目線、1b…側面板、1c…開閉扉、２…側・背面材、2a…折目線、2b…側面板、2c…背面板、３…繋ぎ材、４…天蓋材、５…底蓋材、4a，4b，4c、5a，5b，5c…折目線、６，７…ストッパー、８…ヒンジ部材、１２，１３…面ファスナー、１５…キャスター、１６…台板、Ａ…胴枠本体、Ｂ…天蓋、Ｃ…底蓋、Ｄ…ロールボックスパレット用組立式プラスチック段ボール製ボックス、Ｅ…ロールボックスパレット。
【図１】
0003136957.tif 000003
【図２】
0003136957.tif 000004
【図３】
0003136957.tif 000005
【図４】
0003136957.tif 000006
【図５】
0003136957.tif 000007
【図６】
0003136957.tif 000008
【図７】
0003136957.tif 000009
【図８】
0003136957.tif 000010
【図９】
0003136957.tif 000011
【図１０】
0003136957.tif 000012